(57)【要約】【課題】  照明本体（例えば水銀灯代替ＬＥＤランプなど）を重量化させずに効果的な放熱が可能であり、かつ、照明本体の落下防止とともに緩み防止をも図り、照明本体を確実に支持する。【解決手段】  熱伝導性の材料で形成された基台２１を備えた照明灯具２と、熱伝導性の材料で形成された筐体１３を備え、照明灯具２に取り付けられる照明本体１と、照明本体１を照明灯具２に支持する支持具３とを有し、支持具３は、熱伝導性の材料で形成された照明本体１の筐体１３表面と熱伝達可能に接合する照明本体接合部３１と、基台２１と熱伝達可能に接合する基台接合部３２と、照明本体接合部３１と基台接合部３２とを連接する連接部３３とを有しており、照明本体接合部３１、基台接合部３２および連接部３３は、熱伝導性の材料で形成されている。【選択図】      図４
2012022966.tif 000002
【特許請求の範囲】
【請求項１】
熱伝導性の材料で形成された基台を備えた照明灯具に取り付けられる照明本体を、当該照明灯具に支持する支持具であって、熱伝導性の材料で形成された前記照明本体の筐体表面と熱伝達可能に接合する照明本体接合部と、前記基台と熱伝達可能に接合する基台接合部と、前記照明本体接合部と前記基台接合部とを連接する連接部とを有しており、前記照明本体接合部、前記基台接合部および前記連接部は、熱伝導性の材料で形成されていることを特徴とする支持具。
【請求項２】
熱伝導性の材料で形成された基台を備えた照明灯具と、熱伝導性の材料で形成された筐体を備え、前記照明灯具に取り付けられる照明本体と、前記照明本体を前記照明灯具に支持する支持具とを有し、該支持具は、熱伝導性の材料で形成された前記照明本体の筐体表面と熱伝達可能に接合する照明本体接合部と、前記基台と熱伝達可能に接合する基台接合部と、前記照明本体接合部と前記基台接合部とを連接する連接部とを有しており、前記照明本体接合部、前記基台接合部および前記連接部は、熱伝導性の材料で形成されていることを特徴とする照明装置。
【発明の詳細な説明】
【技術分野】
【０００１】
本発明は、支持具及び照明装置に関する。
【背景技術】
【０００２】
近年、例えば特許文献１などに記載のような照明用のＬＥＤ電球（ＬＥＤランプ）が開発されている。
【０００３】
図１は水銀灯代替ＬＥＤランプが組み込まれた従来の照明装置（例えば街路灯）の一例を示す図（正面図）である。図１の照明装置では、水銀灯代替ＬＥＤランプ９１は、放熱を行うために、筐体の外周に放熱用のフィン９２が設けられている。また、水銀灯代替ＬＥＤランプ９１は、照明灯具の基台（金具）９３に取り付けられ（具体的には、水銀灯代替ＬＥＤランプ９１の口金が照明灯具の基台（金具）９３の口金ソケット９０に装着され（締め付けられて装着され））、さらに、風や地震などによる水銀灯代替ＬＥＤランプ９１の落下を防止するため、基台（金具）９３からの吊りワイヤー９４によって保持されている。また、水銀灯代替ＬＥＤランプ９１は、透明なグローブ（例えば透明樹脂で形成されているグローブ）９５で覆われている。
【先行技術文献】
【特許文献】
【０００４】
【特許文献１】特開２００６−１５６１８７号公報
【発明の概要】
【発明が解決しようとする課題】
【０００５】
しかしながら、図１の照明装置では、水銀灯代替ＬＥＤランプ９１は、筐体の外周に放熱用のフィン９２が設けられているものの、ＬＥＤランプ９１で発生する熱は、放熱用のフィン９２から直接外気に熱移動せず、放熱用のフィン９２から、グローブ９５の内気９６、グローブ９５、外気９７の順に熱移動するので、放熱を効果的に行うことができないという問題があった。すなわち、グローブ９５内はグローブ９５外と比較して熱の対流がほとんど発生しないため、放熱用のフィン９２からの熱は、グローブ９５内で効率よく伝達されず、放熱を効果的に行うことができないという問題があった。
【０００６】
また、図１の照明装置では、水銀灯代替ＬＥＤランプ９１は、筐体の外周に放熱用のフィン９２が設けられていることによって、水銀灯に比べてかなり重くなっており（具体的には、２ｋｇ以上の重さとなっており）、自重によって水銀灯代替ＬＥＤランプ９１の口金が照明灯具の基台（金具）９３の口金ソケット９０から緩み、不灯になってしまうなどの問題があった。
【０００７】
本発明は、照明本体（例えば水銀灯代替ＬＥＤランプなど）を重量化させずに効果的な放熱が可能であり、かつ、照明本体の落下防止とともに緩み防止をも図り、照明本体を確実に支持することの可能な支持具及び照明装置を提供することを目的としている。
【課題を解決するための手段】
【０００８】
上記目的を達成するために、請求項１記載の発明は、熱伝導性の材料で形成された基台を備えた照明灯具に取り付けられる照明本体を、当該照明灯具に支持する支持具であって、熱伝導性の材料で形成された前記照明本体の筐体表面と熱伝達可能に接合する照明本体接合部と、前記基台と熱伝達可能に接合する基台接合部と、前記照明本体接合部と前記基台接合部とを連接する連接部とを有しており、前記照明本体接合部、前記基台接合部および前記連接部は、熱伝導性の材料で形成されていることを特徴としている。
【０００９】
また、請求項２記載の発明は、熱伝導性の材料で形成された基台を備えた照明灯具と、熱伝導性の材料で形成された筐体を備え、前記照明灯具に取り付けられる照明本体と、前記照明本体を前記照明灯具に支持する支持具とを有し、該支持具は、熱伝導性の材料で形成された前記照明本体の筐体表面と熱伝達可能に接合する照明本体接合部と、前記基台と熱伝達可能に接合する基台接合部と、前記照明本体接合部と前記基台接合部とを連接する連接部とを有しており、前記照明本体接合部、前記基台接合部および前記連接部は、熱伝導性の材料で形成されていることを特徴とする照明装置である。
【発明の効果】
【００１０】
請求項１、請求項２記載の発明によれば、熱伝導性の材料で形成された照明本体の筐体表面と熱伝達可能に接合する照明本体接合部と、熱伝導性の材料で形成された照明灯具の基台と熱伝達可能に接合する基台接合部と、前記照明本体接合部と前記基台接合部とを連接する連接部とを有し、前記照明本体接合部、前記基台接合部および前記連接部が熱伝導性の材料で形成されている支持具を用いるので、支持具を含めて照明本体（ＬＥＤランプ（例えば、水銀灯等の代替ＬＥＤランプ）など）を重量化させずに支持具を介して効果的な放熱が可能であり、かつ、照明本体の落下防止とともに緩み防止などをも図り、照明本体を確実に支持することができる。
【図面の簡単な説明】
【００１１】
【図１】水銀灯代替ＬＥＤランプが組み込まれた従来の照明装置の一例を示す図（正面図）である。
【図２】本発明の照明装置の一構成例を示す図である。
【図３】本発明の照明装置の一構成例を示す図である。
【図４】図２、図３の照明装置の分解斜視図である。
【図５】図３の照明装置の実際の設置使用状態の例を示す図である。
【図６】図３との比較を行うために、図３において支持具が設けられていないとした場合を示す図である。
【図７】支持具の変形例を示す図である。
【発明を実施するための最良の形態】
【００１２】
以下、本発明の実施形態を図面に基づいて説明する。
【００１３】
図２、図３は本発明の照明装置の一構成例を示す図である。なお、図２は斜視図、図３は図２のＡ−Ａ線における断面図である。また、図４は図２、図３の照明装置の分解斜視図である。図２、図３、図４を参照すると、この照明装置は、照明本体１と、照明本体１が装着される照明灯具２と、照明本体１を照明灯具２に支持する支持具（支持部材）３とを有している。
【００１４】
ここで、照明本体１は、例えば複数のＬＥＤ１１が実装されているＬＥＤ基板１２と、ＬＥＤ基板１２が所定位置に配置されている筐体１３と、透明カバー１４と、照明本体１を照明灯具２に取り付けるための口金１５とを備えており、ＬＥＤランプ（例えば、水銀灯等の代替ＬＥＤランプ）として構成されている。なお、筐体１３は、熱伝導性の材料（例えばアルミダイキャストなどの熱伝導率の良い金属等の材料）で形成されている。また、筐体１３は、中実構造のものでも良いし、照明本体１のより軽量化を図るために中空構造のものでも良く、図２、図３、図４の例では、従来のように放熱用のフィンなどが設けられていない軽量化に適した構造のものとなっている。また、照明本体１は、透明なグローブ（例えば透明樹脂で形成されているグローブ）５で覆われている。
【００１５】
また、照明灯具２は、熱伝導性の材料（例えばアルミダイキャストなどの熱伝導率の良い金属等の材料）で形成された基台（ベース器具）２１を備えており、基台（ベース器具）２１には、照明本体１の口金１５が装着される口金ソケット２２が設けられている。また、図２、図３、図４の例では、基台（ベース器具）２１には、熱伝導率の良い金属ポール２３が設けられている。
【００１６】
また、支持具３は、熱伝導性の材料で形成された照明本体１の筐体１３の表面と熱伝達可能に接合する照明本体接合部３１と、照明灯具２の基台２１と熱伝達可能に接合する基台接合部３２と、照明本体接合部３１と基台接合部３２とを連接する連接部３３とを有し、照明本体接合部３１、基台接合部３２および連接部３３は、熱伝導性の材料（例えばアルミダイキャストなどの熱伝導率の良い金属等の材料）で形成されている。
【００１７】
より具体的に、図２、図３、図４の例では、支持具３は、照明本体１の筐体１３、照明灯具２の基台２１と着脱可能に構成されており、照明本体１の筐体１３には、ネジ穴３５においてネジを締め付けることで、しっかりと固定され、また、照明灯具２の基台２１には、ネジ穴３６においてネジ止めすることで、しっかりと固定されるようになっている。
【００１８】
図４のような分解された状態から、図２、図３のように組み立てられた状態にするには、例えば、照明本体１と照明灯具２との間に支持具３を挿入した（置いた）状態で（なお、このときには、支持具３のネジ穴３５、３６においてまだネジの締め付け、ネジ止めがなされていない）、先ず、照明本体１の口金１５を基台（ベース器具）２１の口金ソケット２２にしっかりと装着する（締め付けて装着する）。次いで、支持具３の基台接合部３２を照明灯具２の基台２１に載置し、ネジ穴３６においてネジ止めすることで、支持具３の基台接合部３２を照明灯具２の基台２１にしっかりと固定する。このとき、支持具３の照明本体接合部３１は、照明本体１の筐体１３を囲むように位置決めされているので、ネジ穴３５においてネジを締め付けることで、支持具３の照明本体接合部３１を照明本体１の筐体１３にしっかりと固定する。
【００１９】
図２、図３のように組み立てられて、例えば図５のように設置されて使用される場合（図３の状態と上下を逆さにして使用される場合）、支持具３の基台接合部３２が照明灯具２の基台２１にしっかりと固定され、支持具３の照明本体接合部３１が照明本体１の筐体１３にしっかりと固定されるので、照明本体１の落下防止とともに口金１５の緩み防止をも図ることができ、照明本体１を確実に支持（固定）することができる（例えば、照明本体１の光軸ぶれなどをも防止できる）。
【００２０】
また、照明本体１の筐体１３、支持具３全体、照明灯具２の基台２１が、全て、熱伝導性の材料で形成されているので、照明本体（ＬＥＤランプなど）１で発生する熱は、図３に示すように、照明本体１の筐体１３、支持具３、照明灯具２の基台２１、さらには金属ポール２３、外気７の順に、効率よく熱移動する。すなわち、本発明では、照明本体（ＬＥＤランプ（例えば、水銀灯等の代替ＬＥＤランプ）など）１に放熱用のフィン等を設けることが不要になるので、支持具３を含めて照明本体１を重量化させずに（具体的には、照明本体１と支持具３とを合わせても、１ｋｇ以下にすることができ）、支持具３を介して効果的な放熱が可能となる。
【００２１】
図６は図３に対応した図であって、図６では、比較のため、支持具３が設けられていない場合が示されている。図６の照明装置の場合には、照明本体（ＬＥＤランプなど）１で発生する熱は、図１の照明装置の場合と同様に、照明本体１の筐体１３、グローブ５の内気６、グローブ５、外気７の順に熱移動するので、放熱を効果的に行うことができない。
【００２２】
具体的な一例として、照明本体１が６０〜９０Ｗの熱を発生するＬＥＤランプである場合、図３の照明装置（本発明の照明装置）では、図６の照明装置に比べて、ＬＥＤランプのＬＥＤジャンクション温度を３１℃低下させることができた。より詳細に、この例では、６０ＷのＬＥＤランプを使用した場合、図６の照明装置では、外気が２５℃のときにＬＥＤランプのＬＥＤジャンクション温度は１３０℃であり、例えば夏の夕方などには外気が３５℃近くになるケースもあることを想定すると、ＬＥＤランプのＬＥＤジャンクション温度が１０℃上昇する（１４０℃になる）可能性があることから、ＬＥＤの信頼性が確保できないことがある。これに対して、図３の照明装置（本発明の照明装置）では、外気が３５℃近くになるケースでも、ＬＥＤランプのＬＥＤジャンクション温度は１０９℃以下にしかならず、４万時間で７０％以上の光束維持で１１５℃以下に抑えることができることから、ＬＥＤの信頼性が確保できる。
【００２３】
このように、本発明によれば、熱伝導性の材料で形成された照明本体１の筐体１３の表面と熱伝達可能に接合する照明本体接合部３１と、照明灯具２の基台２１と熱伝達可能に接合する基台接合部３２と、照明本体接合部３１と基台接合部３２とを連接する連接部３３とを有し、照明本体接合部３１、基台接合部３２および連接部３３が熱伝導性の材料（例えばアルミダイキャストなどの熱伝導率の良い金属等の材料）で形成されている支持具３を用いることで、支持具３を含めて照明本体１（ＬＥＤランプ（例えば、水銀灯等の代替ＬＥＤランプ）など）を重量化させずに支持具３を介して効果的な放熱が可能であり、かつ、照明本体１の落下防止とともに緩み防止などをも図り、照明本体１を確実に支持（固定）することができる。
【００２４】
なお、上述の例において、支持具３の内部には構造物が設けられていなくても良いが、図７に示すように、支持具３の内側に熱伝導性の材料で形成されたフィン構造３７などを設け、このフィン構造３７によって、照明本体１の筐体１３から照明灯具２の基台２１までの熱伝達経路をさらに増加させ、より一層効率よく放熱させることも可能である。
【００２５】
また、上述の例では、照明本体１と照明灯具２とが、口金１５と口金ソケット２２とによって、容易に着脱可能に構成されているが、照明本体１と照明灯具２とが容易には着脱可能に構成されていない場合にも、本発明を適用できる。すなわち、この場合には（照明本体１が照明灯具２にすでに取り付けられている場合には）、照明本体１の上側から支持具３を照明本体１に挿入して、照明灯具２の基台２１まで移動させれば良く、後は、上述の例と同様に、支持具３を照明灯具２と照明本体１とに固定すればよい。
【００２６】
また、上述の例では、支持具３を照明灯具２と照明本体１とにネジで固定するとしたが、ネジ以外の手段で固定しても良い。
【００２７】
また、上述の例では、照明本体１は、ＬＥＤランプ（例えば、水銀灯等の代替ＬＥＤランプ）であるとしたが、照明本体１は、ＬＥＤランプ以外の光源であっても良く、この場合にも、本発明を適用できる。
【産業上の利用可能性】
【００２８】
本発明は、一般照明灯具や、街路灯、道路灯のような屋外照明灯具などに利用可能である。
【符号の説明】
【００２９】
１          照明本体
２          照明灯具
３          支持具
５          グローブ
１１        ＬＥＤ
１２        ＬＥＤ基板
１３        筐体
１４        透明カバー
１５        口金
２１        基台（ベース器具）
２２        口金ソケット
２３        金属ポール
３１        照明本体接合部
３２        基台接合部
３３        連接部
３５、３６        ネジ穴
３７        フィン構造
【図１】
2012022966.tif 000003
【図２】
2012022966.tif 000004
【図３】
2012022966.tif 000005
【図４】
2012022966.tif 000006
【図５】
2012022966.tif 000007
【図６】
2012022966.tif 000008
【図７】
2012022966.tif 000009